【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
第１の記録先に対してデータを記録する第１の記録手段と、
第２の記録先に対してデータを記録する第２の記録手段と、
前記第２の記録先に対してデータを記録するとき、前記第１の記録先における第１の容量をバッファ領域に割り当て、このバッファ領域に記録対象のデータをバッファリングさせつつ、このバッファリングされた記録対象のデータを前記第２の記録先に対して順次記録させる第１の記録制御手段と、
前記第１の記録制御手段による記録制御中に、前記第２の記録先に対してデータが記録できなくなったとき、前記バッファ領域の容量を前記第１の容量より大きい第２の容量に拡大して、記録対象のデータのバッファリングを継続させる第２の記録制御手段と、
を備えたことを特徴とする情報記録装置。
【請求項２】
固定型の記録媒体と、
前記固定型の記録媒体に対してデータを記録する第１の記録手段と、
可搬型の記録媒体に対してデータを記録する第２の記録手段と、
前記可搬型の記録媒体に対してデータを記録するとき、前記固定型の記録媒体における第１の容量をバッファ領域に割り当て、このバッファ領域に記録対象のデータをバッファリングさせつつ、このバッファリングされた記録対象のデータを前記可搬型の記録媒体に対して順次記録させる第１の記録制御手段と、
前記第１の記録制御手段による記録制御中に、前記可搬型の記録媒体に対してデータが記録できなくなったとき、前記バッファ領域の容量を前記第１の容量より大きい第２の容量に拡大して、記録対象のデータのバッファリングを継続させる第２の記録制御手段と、
を備えたことを特徴とする情報記録装置。
【請求項３】
固定型の記録媒体と、
前記固定型の記録媒体に対してデータを記録する第１の記録手段と、
可搬型の記録媒体に対してデータを記録する第２の記録手段と、
前記可搬型の記録媒体に対してデータを記録するとき、前記固定型の記録媒体における第１の容量をバッファ領域に割り当て、このバッファ領域に記録対象のデータをバッファリングさせつつ、このバッファリングされた記録対象のデータを前記可搬型の記録媒体に対して順次記録させる第１の記録制御手段と、
前記第１の記録制御手段による記録制御中に、前記可搬型の記録媒体に対してデータが記録できなくなったとき、前記バッファ領域の容量を前記第１の容量より大きい第２の容量に拡大して、記録対象のデータのバッファリングを継続させる第２の記録制御手段と、
前記第２の記録制御手段による記録制御中に、前記可搬型の記録媒体に対してデータが記録できるようになったとき、バッファリングされた記録対象のデータを前記可搬型の記録媒体に対して記録させ、且つ前記バッファ領域の容量を前記第１の容量に戻す第３の記録制御手段と、
を備えたことを特徴とする情報記録装置。
【請求項４】
第１の記録先に対してデータを記録するとき、第２の記録先における第１の容量をバッファ領域に割り当て、このバッファ領域に記録対象のデータをバッファリングさせつつ、このバッファリングされた記録対象のデータを前記第１の記録先に対して順次記録させる第１のステップと、
前記第１のステップによる記録制御中に、前記第１の記録先に対してデータが記録できなくなったとき、前記バッファ領域の容量を前記第１の容量より大きい第２の容量に拡大して、記録対象のデータのバッファリングを継続させる第２のステップと、
を備えたことを特徴とする情報記録方法。
【請求項５】
可搬型の記録媒体に対してデータを記録するとき、固定型の記録媒体における第１の容量をバッファ領域に割り当て、このバッファ領域に記録対象のデータをバッファリングさせつつ、このバッファリングされた記録対象のデータを前記可搬型の記録媒体に対して順次記録させる第１のステップと、
前記第１のステップによる記録制御中に、前記可搬型の記録媒体に対してデータが記録できなくなったとき、前記バッファ領域の容量を前記第１の容量より大きい第２の容量に拡大して、記録対象のデータのバッファリングを継続させる第２のステップと、
前記第２のステップによる記録制御中に、前記可搬型の記録媒体に対してデータが記録できるようになったとき、バッファリングされた記録対象のデータを前記可搬型の記録媒体に対して記録させ、且つ前記バッファ領域の容量を前記第１の容量に戻す第３のステップと、
を備えたことを特徴とする情報記録方法。
【請求項６】
第１の記録先に対してデータを記録するとともに、この第１の記録先に記録されたデータを再生する記録再生手段と、
第２の記録先からデータを再生する再生手段と、
前記第２の記録先からデータを再生するとき、前記第１の記録先における第１の容量をバッファ領域に割り当て、前記第２の記録先から再生対象のデータを先読みさせ、前記バッファ領域に先読みさせた再生対象のデータをバッファリングさせつつ、このバッファリングされた再生対象のデータを順次再生させる第１の再生制御手段と、
前記第１の再生制御手段による再生制御中に、前記第２の記録先における再生対象のデータが所定容量以下になったとき、前記バッファ領域の容量を前記第１の容量より大きい第２の容量に拡大して、先読みさせた再生対象のデータのバッファリングを進行させる第２の再生制御手段と、
を備えたことを特徴とする情報再生装置。
【請求項７】
固定型の記録媒体と、
前記固定型の記録媒体に対してデータを記録するとともに、この第１の記録先に記録されたデータを再生する記録再生手段と、
可搬型の記録媒体からデータを再生する再生手段と、
前記可搬型の記録媒体からデータを再生するとき、前記固定型の記録媒体における第１の容量をバッファ領域に割り当て、前記可搬型の記録媒体から再生対象のデータを先読みさせ、前記バッファ領域に先読みさせた再生対象のデータをバッファリングさせつつ、このバッファリングされた再生対象のデータを順次再生させる第１の再生制御手段と、
前記第１の再生制御手段による再生制御中に、前記可搬型の記録媒体における再生対象のデータが所定容量以下になったとき、前記バッファ領域の容量を前記第１の容量より大きい第２の容量に拡大して、先読みさせた再生対象のデータのバッファリングを進行させる第２の再生制御手段と、
前記第２の再生制御手段による再生制御中に、前記可搬型の記録媒体の交換に伴い再生対象のデータが所定容量を超えると、バッファリングされた再生対象のデータを再生させるとともに、前記バッファ領域の容量を前記第１の容量に戻す第３の再生制御手段と、
を備えたことを特徴とする情報再生装置。
【請求項８】
前記第１の記録先からデータを再生するとき、前記第２の記録先における第１の容量をバッファ領域に割り当て、前記第１の記録先から再生対象のデータを先読みさせ、前記バッファ領域に先読みさせた再生対象のデータをバッファリングさせつつ、このバッファリングされた再生対象のデータを順次再生させる第１のステップと、
前記第１のステップによる再生制御中に、前記第１の記録先における再生対象のデータが所定容量以下になったとき、前記バッファ領域の容量を前記第１の容量より大きい第２の容量に拡大して、先読みさせた再生対象のデータのバッファリングを進行させる第２のステップと、
を備えたことを特徴とする情報再生方法。
【請求項９】
可搬型の記録媒体からデータを再生するとき、固定型の記録媒体における第１の容量をバッファ領域に割り当て、前記可搬型の記録媒体から再生対象のデータを先読みさせ、前記バッファ領域に先読みさせた再生対象のデータをバッファリングさせつつ、このバッファリングされた再生対象のデータを順次再生させる第１のステップと、
前記第１のステップによる再生制御中に、前記可搬型の記録媒体における再生対象のデータが所定容量以下になったとき、前記バッファ領域の容量を前記第１の容量より大きい第２の容量に拡大して、先読みさせた再生対象のデータのバッファリングを進行させる第２のステップと、
前記第２のステップによる再生制御中に、前記可搬型の記録媒体の交換に伴い再生対象のデータが所定容量を超えると、バッファリングされた再生対象のデータを再生させるとともに、前記バッファ領域の容量を前記第１の容量に戻す第３のステップと、
を備えたことを特徴とする情報再生方法。